(57)【要約】【課題】送信部の１次変調及び２次変調、または受信部の１次復調及び２次復調を高速化することなく、より高速なデータ伝送に対応可能にし、また、伝送路の状況、多種のメディアあるいは多種のサービス等の異なる伝送条件に対応させて、より高速な情報データを効率良く伝送することが可能な適応可変多重伝送装置を提供することにある。【解決手段】送信情報データを複数のサブチャネルの信号に分割するデータ分割回路１０２と、サブチャネル毎に複数の多値変調方式を選択して変調を行う１次変調器１０４と、複数の広帯域化方式を選択して広帯域化する２次変調器１０５と、各サブチャネルの１次変調の多値変調方式と２次変調器の広帯域化方式及びサブチャネル数を示す伝送条件識別情報を付加する付加回路１１０と、複数の変調出力を周波数多重化する周波数多重化回路１１３を備え、複数サブチャネルの変調出力を周波数多重化して伝送する。【選択図】　図１
2004032380.tif 000002
【特許請求の範囲】
【請求項１】
送信情報データを複数の送信サブチャネル毎の送信信号に分割するデータ分割回路と、
前記複数の送信サブチャネル毎に設けられ、前記データ分割回路で分割された複数の送信サブチャネル毎の送信信号の各々について多値変調する１次変調器および該１次変調器から得られる各送信サブチャネル毎の多値変調信号の伝送帯域について広帯域化する２次変調器と、
前記各送信サブチャネル毎の前記１次変調器による多値変調方式と前記２次変調器による広帯域化方式及び送信サブチャネル数を示す伝送条件情報を信号に付加する付加回路と、
前記複数の送信サブチャネル毎の前記２次変調器から得られる広帯域化された変調出力を周波数多重化して同一ユーザのチャネルとして出力する周波数多重化回路とを備えたことを特徴とする適応可変多重伝送装置。
【請求項２】
前記複数の送信サブチャネル毎に設けられた前記１次変調器は複数の多値変調方式を選択できるように構成し、前記２次変調器は複数の広帯域化方式を選択できるように構成したことを特徴とする請求項１記載の適応可変多重伝送装置。
【請求項３】
前記多重化する全ての送信サブチャネルにおいて、前記１次変調器は同じ多値変調方式を用いるように構成し、前記２次変調器は同じ広帯域化方式を用いるように構成したことを特徴とする請求項１記載の適応可変多重伝送装置。
【請求項４】
前記多重化する複数の送信サブチャネルにおいて、分割された複数のグループ毎に、前記１次変調器は同じ多値変調方式を用いるように構成し、前記２次変調器は同じ広帯域化方式を用いるように構成したことを特徴とする請求項１記載の適応可変多重伝送装置。
【請求項５】
伝送条件情報に基づいて制御信号を発生する制御回路と、
送信情報データを複数の送信サブチャネル毎の送信信号に分割するデータ分割回路と、
前記複数の送信サブチャネル毎に設けられ、前記データ分割回路で分割された複数の送信サブチャネル毎の送信信号の各々について前記制御回路から得られる制御信号により複数の多値変調方式から所望の多値変調方式を選択して変調する１次変調器および該１次変調器から得られる各送信サブチャネル毎の多値変調信号の伝送帯域について前記制御回路から得られる制御信号により複数の広帯域化方式から所望の広帯域化方式を選択して広帯域化する２次変調器と、
前記各送信サブチャネル毎の前記１次変調器による多値変調方式と前記２次変調器による広帯域化方式及び送信サブチャネル数を示す伝送条件情報を送信信号に付加する付加回路と、
前記複数の送信サブチャネル毎の前記２次変調器から得られる広帯域化された変調出力を周波数多重化して同一ユーザのチャネルとして出力する周波数多重化回路とを備えたことを特徴とする適応可変多重伝送装置。
【請求項６】
受信した周波数多重信号から複数の受信サブチャネル毎の変調信号に周波数分離する周波数分離回路と、
伝送側で付加された各受信サブチャネル毎の信号における１次変調の多値変調方式と２次変調の広帯域化方式及び受信サブチャネル数の伝送条件情報を識別する伝送条件識別回路と、
該伝送条件識別回路において識別した伝送条件情報に基づいて制御信号を発生する制御回路と、
複数の受信サブチャネル毎に設けられ、前記周波数分離回路から得られる各受信サブチャネル毎の変調信号の伝送帯域を前記制御回路から得られる制御信号による広帯域化方式で復調する２次復調器および該２次復調器で復調された各受信サブチャネル毎の変調信号を前記制御回路から得られる制御信号による多値変調方式で復調する１次復調器と、
前記複数の受信サブチャネルから得られる情報データを合成するデータ合成回路とを備えることを特徴とする適応可変多重伝送装置。
【発明の詳細な説明】
【０００１】
【発明の属する技術分野】
本発明は、伝送路の状況、多種のメディアあるいは多種のサービス等の異なる伝送条件に対応して、高速な情報データを効率よく伝送することのできる多重伝送装置に関するものである。
【０００２】
【従来の技術】
スロット単位あるいは複数スロットを合わせたパケット単位の送信情報データについて、予め用意した複数の多値変調方式から選択して１次変調を行い、２次変調で広帯域化した送信信号に変換して伝送を行う、従来の適応可変伝送装置について、図３および図４を用いてデータの送受信動作を説明する。
【０００３】
図３は、従来の適応可変伝送装置の送信部の構成の一例を示すブロック図である。スロットあるいはパケット単位の送信情報データ３０１が入力されると、送信情報データ３０１のデータ速度、データ容量、あるいは情報データに含まれている伝送条件の指定情報などにより、伝送条件を伝送条件識別回路３０５が識別し伝送条件情報３０６を送信部制御回路３０７に出力する。送信部制御回路３０７は、この伝送条件情報３０６に従い、１次変調器３０３の多値変調の切替、伝送条件識別情報付加回路３０９の制御を行う。図示を省略したが、伝送路の伝搬状況やトラヒック状況を監視する手段を設け、伝送路の状況に応じた伝送条件を送信部制御回路３０７に指定する伝送装置もある。
【０００４】
上述した制御により、入力された送信情報データ３０１は、１次変調器３０３において選択設定された多値変調で１次変調され、コマンド等に変換されたデータで伝送条件識別情報３１０が伝送条件識別情報付加回路３０９で付加され、２次変調器３０４においてＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）や拡散符号による拡散変調などで広帯域化され、送信信号３１１が出力される。このようにして送信された信号は受信部で受信される。
【０００５】
図４は、従来の適応可変伝送装置の受信部の構成の一例を示すブロック図である。受信部では、受信信号４０１が２次復調器４０３に入力され、ＯＦＤＭあるいは拡散復調等の２次復調が行われ多値変調された信号に戻される。次に、付加されている伝送条件識別情報４０６を伝送条件識別回路４０５で識別し、識別した伝送条件情報４０７を受信条件制御回路４０８に出力する。受信制御回路４０８からの受信部制御信号４０９により、１次復調器４０４の多値復調が選択切替され、２次復調器４０３より出力された多値変調信号は受信情報データ４１０に変換され出力される。
【０００６】
ただし、従来の伝送装置では、上記２次変調器３０４の変調方式は、１次変調のように選択切替されることは無く固定されている。
【０００７】
【発明が解決しようとする課題】
近年のマルチメディア通信においては、インターネットトラヒックの需要が飛躍的に増大しており、更なる高速データパケット伝送技術の要求が高まっている。高速データ伝送を実現するためには、多値変調を導入した適応変調等の技術が導入されており、上述した従来の伝送装置のような１次変調器の変調を選択的に切替える方式を用いた適応可変伝送装置が考案されている。
【０００８】
しかし、従来の適応可変伝送装置において、より高速なデータを伝送するには、送信チャネルにおける１次変調器及び２次変調器の処理動作をより高速化することが必要となり、処理回路の素子や、特に高速化の難しい送信部のＡＤ（Ａｎａｌｏｇ　ｔｏ　Ｄｉｇｉｔａｌ）変換器と受信部のＤＡ（Ｄｉｇｉｔａｌ　ｔｏ　Ａｎａｌｏｇ）変換器において高速化の開発が必要となる。
【０００９】
また、より高速なデータの伝送においては、１次変調器の多値変調のみの選択切替では、情報データの多様な伝送条件、伝送路の伝搬状況やトラヒック状況の変動に対応して細かな適応制御ができなくなり、周波数利用効率の向上が減少する課題もある。
【００１０】
本発明の目的は、上記課題を解決すべく、送信部の１次変調及び２次変調、または受信部の１次復調及び２次復調を高速化することなく、より高速なデータ伝送に対応可能とした適応可変多重伝送装置を提供することにある。
【００１１】
また、本発明の他の目的は、伝送路の状況、多種のメディアあるいは多種のサービス等の異なる伝送条件に対応させて、より高速な情報データを効率良く伝送することが可能な適応可変多重伝送装置を提供することにある。
【００１２】
【課題を解決するための手段】
上記目的を達成するために、本発明は、送信情報データを複数の送信サブチャネル毎の送信信号に分割するデータ分割回路と、前記複数の送信サブチャネル毎に設けられ、前記データ分割回路で分割された複数の送信サブチャネル毎の送信信号の各々について多値変調する１次変調器および該１次変調器から得られる各送信サブチャネル毎の多値変調信号の伝送帯域について広帯域化する２次変調器と、前記各送信サブチャネル毎の前記１次変調器による多値変調方式と前記２次変調器による広帯域化方式及び送信サブチャネル数を示す伝送条件情報を信号に付加する付加回路と、前記複数の送信サブチャネル毎の前記２次変調器から得られる広帯域化された変調出力を周波数多重化して同一ユーザのチャネルとして出力する周波数多重化回路とを備えたことを特徴とする適応可変多重伝送装置である。
【００１３】
また、本発明は、前記適応可変多重伝送装置において、前記複数の送信サブチャネル毎に設けられた前記１次変調器は複数の多値変調方式を選択できるように構成し、前記２次変調器は複数の広帯域化方式を選択できるように構成したことを特徴とする。
【００１４】
また、本発明は、前記適応可変多重伝送装置の前記多重化する全ての送信サブチャネルにおいて、前記１次変調器は同じ多値変調方式を用いるように構成し、前記２次変調器は同じ広帯域化方式を用いるように構成したことを特徴とする。
【００１５】
また、本発明は、前記適応可変多重伝送装置の前記多重化する複数の送信サブチャネルにおいて、分割された複数のグループ毎に、前記１次変調器は同じ多値変調方式を用いるように構成し、前記２次変調器は同じ広帯域化方式を用いるように構成したことを特徴とする。
【００１６】
また、本発明は、伝送条件情報に基づいて制御信号を発生する制御回路と、送信情報データを複数の送信サブチャネル毎の送信信号に分割するデータ分割回路と、前記複数の送信サブチャネル毎に設けられ、前記データ分割回路で分割された複数の送信サブチャネル毎の送信信号の各々について前記制御回路から得られる制御信号により複数の多値変調方式から所望の多値変調方式を選択して変調する１次変調器および該１次変調器から得られる各送信サブチャネル毎の多値変調信号の伝送帯域について前記制御回路から得られる制御信号により複数の広帯域化方式から所望の広帯域化方式を選択して広帯域化する２次変調器と、前記各送信サブチャネル毎の前記１次変調器による多値変調方式と前記２次変調器による広帯域化方式及び送信サブチャネル数を示す伝送条件情報を送信信号に付加する付加回路と、前記複数の送信サブチャネル毎の前記２次変調器から得られる広帯域化された変調出力を周波数多重化して同一ユーザのチャネルとして出力する周波数多重化回路とを備えたことを特徴とする適応可変多重伝送装置である。
【００１７】
また、本発明は、受信した周波数多重信号から複数の受信サブチャネル毎の変調信号に周波数分離する周波数分離回路と、伝送側で付加された各受信サブチャネル毎の信号における１次変調の多値変調方式と２次変調の広帯域化方式及び受信サブチャネル数の伝送条件情報を識別する伝送条件識別回路と、該伝送条件識別回路において識別した伝送条件情報に基づいて制御信号を発生する制御回路と、複数の受信サブチャネル毎に設けられ、前記周波数分離回路から得られる各受信サブチャネル毎の変調信号の伝送帯域を前記制御回路から得られる制御信号による広帯域化方式で復調する２次復調器および該２次復調器で復調された各受信サブチャネル毎の変調信号を前記制御回路から得られる制御信号による多値変調方式で復調する１次復調器と、前記複数の受信サブチャネルから得られる情報データを合成するデータ合成回路とを備えることを特徴とする適応可変多重伝送装置。送信情報データを複数のサブチャネルに分割し、これらの複数のサブチャネルを周波数多重化し同一ユーザの送信信号として伝送することを特徴とする適応可変多重伝送装置である。
【００１８】
以上説明した本発明に係る適応可変多重伝送装置において、送信部では、送信情報データを複数のサブチャネルに分割し、送信サブチャネル毎に選択切替した多値変調方式の１次変調、及び選択切替した広帯域化方式の２次変調を行うため、それぞれの送信サブチャネルの処理動作は、複数のサブチャネルに分割することで低速化されて、より高速なデータ伝送に対応可能となる。同様に、受信部においても、受信信号を分離した後の受信サブチャネル毎の２次復調及び１次復調の処理動作は低速化されて、より高速なデータ伝送に対応可能となる。すなわち、送信部の１次変調及び２次変調、または受信部の１次復調及び２次復調に用いられるＡＤ変換器とＤＡ変換器においても低速素子で対応可能となる。
【００１９】
また、１次変調器の多値変調方式の選択切替と共に、サブチャネル数の切替、２次変調器の広帯域化方式の切替を組合わせて行うことで、多様な伝送条件、伝送路の伝搬状況やトラヒック状況の変動に対応して細かな適応制御が可能となり、周波数利用効率をさらに向上することができる。
【００２０】
従って、伝送路の状況、多種のメディアあるいは多種のサービス等の異なる伝送条件に対応して、より高速な情報データを効率良く伝送することが可能となる。
【００２１】
【発明の実施の形態】
本発明に係る、情報データを複数のサブチャネルの信号に分割し、複数のサブチャネルを周波数多重化し同一ユーザのチャネルとして伝送する適応可変多重伝送装置の実施の形態について、図１および図２を用いて説明する。
【００２２】
図１は、本発明に係る適応可変多重伝送装置の一実施の形態の送信部の構成を示すブロック図である。送信部は、伝送条件を識別する伝送条件識別回路１０６と、伝送条件識別回路１０６で識別された伝送条件情報１０７が供給される送信部制御回路１０８と、送信部制御回路１０８からの送信部制御信号１０９により送信情報データ１０１を複数の送信サブチャネル（１）〜（ｎ）１０３に分割するデータ分割回路１０２と、送信部制御回路１０８からの送信部制御信号１０９により、各送信サブチャネル（１）〜（ｎ）１０３において予め用意した（変調器の回路として備えられた）複数の多値変調方式（ＢＰＳＫも含めたＱＰＳＫ、１６ＱＡＭなどの変調方式）を選択切替して所望の多値変調方式により１次変調を行う１次変調器１０４と、送信部制御回路１０８が設定する伝送条件情報１０７に従い伝送条件識別情報１１１を、各送信サブチャネル（１）〜（ｎ）１０３における送信信号に付加する伝送条件識別情報付加回路１１０と、送信部制御回路１０８からの送信部制御信号１０９により、各送信サブチャネル（１）〜（ｎ）１０３において予め用意した（変調器の回路として備えられた）ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）や拡散変調（スペクトラム拡散）等の広帯域化方式を選択切替して所望の広帯域化方式により２次変調を行う２次変調器１０５と、複数の送信サブチャネル１０３から得られる送信変調信号１１２を周波数多重化する周波数多重化回路１１３から構成される。データ分割回路１０２は、送信部制御回路１０８からの伝送条件情報１０７に基づく送信部制御信号１０９により、送信情報データ１０１を複数の送信サブチャネル（１）〜（ｎ）１０３に均等あるいは異なる割合で分割する回路である。上記データ分割回路１０２は、例えば、４個のサブチャネルの場合、均等分割であれば、４個の送信情報データが入力される毎に、各サブチャネルに１個づつ分割し、異なる割合（例えば１：２：３：４の比）で分割するのであれば、１０個の送信情報データが入力される毎に、４個のサブチャネルに、それぞれ１個、２個、３個、４個のデータに分割することになる。また、サブチャネルと称したのは、複数チャネルを周波数多重化して、１ユーザが１つのチャネルとして使用するためである。
【００２３】
ここで、１次変調器１０４と２次変調器１０５は、送信サブチャネル（１）〜（ｎ）毎に必要となる。伝送条件識別情報付加回路１１０は、送信サブチャネル（１）〜（ｎ）毎に、あるいは一括して指定する１送信サブチャネルか複数の送信サブチャネルに伝送条件識別情報１１１の付加を行う（伝送条件識別情報１１１をコマンド等のなるべく省略したデータとして付加する）。そして、この伝送条件識別情報１１１については２次変調器１０５の広帯域化方式を指定された既知の方式に固定して付加される。
【００２４】
このように構成された送信部に、スロットあるいはパケット単位の送信情報データ１０１が入力されると、伝送条件識別回路１０６が送信情報データ１０１のデータ速度、データ容量、あるいは情報データに含まれる伝送条件の指定情報などにより、各サブチャネルの１次変調の多値変調方式と２次変調器の広帯域化方式及びサブチャネル数を示す伝送条件情報１０７を識別し、該識別された伝送条件情報１０７を送信部制御回路１０８に出力する。ここで、伝送条件識別回路１０６は、後述する受信部の伝送条件識別回路２０７からの伝送条件情報２０９を受けて、上記伝送条件情報１０７を送信部制御回路１０８に出力しても良い。また、図示を省略したが、伝送路の伝搬状況やトラヒック状況を監視する手段を設け、該手段から伝送路の状況に応じた上記伝送条件情報１０７を送信部制御回路１０８に出力しても良い。
【００２５】
送信部制御回路１０８では、データ分割回路１０２に対して伝送条件情報１０７により、各送信サブチャンネル１０３に均等あるいは異なる割合で分割する制御を行い、各送信サブチャネル（１）〜（ｎ）１０３について、１次変調器１０４の多値変調方式と２次変調器１０５の広帯域化方式を、伝送条件情報１０７に従って選択切替する制御を行い、伝送条件識別情報付加回路１１０に対しては、送信する伝送条件識別情報１１１を送信信号に付加させる制御を行う。上述の制御により、各送信サブチャネル１０３の送信情報は１次変調器１０４に入力され、選択切替された多値変調方式で１次変調され、コマンド等に変換された伝送条件識別情報１１１が伝送条件識別情報付加回路１１０において付加される。次に、２次変調器１０５で選択切替された広帯域化方式で２次変調され、送信変調信号１１２が出力される。
【００２６】
そして、これら複数の送信サブチャネル１０３の送信変調信号１１２は、周波数多重化回路１１３で周波数多重化され送信多重信号１１４が送信され、受信部で受信される。
【００２７】
なお、上記実施の形態で示す多重化する全ての複数のサブチャネル（１）〜（ｎ）１０３において、１次変調器１０４としては同じ多値変調方式を用い、２次変調器１０５としては同じ広帯域化方式を用いても良い。この場合、当然、１次変調器１０４として同じ多値変調方式を選択して用いても良いし、また、２次変調器１０５として同じ広帯域化方式を選択して用いても良い。
【００２８】
また、上記実施の形態で示す多重化する多数のサブチャネル（１）〜（ｎ）を複数のグループに分割し、該分割されたグループ毎の複数のサブチャネルにおいては、１次変調器１０４として同じ多値変調方式を用い、２次変調器１０５として同じ広帯域化方式を用いても良い。この場合も、当然、１次変調器１０４として同じ多値変調方式を選択して用いて良いし、また、２次変調器１０５として同じ広帯域化方式を選択して用いても良い。
【００２９】
図２は、本発明の適応可変多重伝送装置の一実施形態の受信部の構成を示すブロック図である。受信部は、受信した受信多重信号２０１から各受信サブチャネル（１）〜（ｎ）２０４毎の受信変調信号２０３に周波数分離する周波数分離回路２０２と、伝送条件識別情報２０８を基に、伝送側で付加された各受信サブチャネルの１次変調の多値変調方式と２次変調の広帯域化方式及びサブチャネル数の伝送条件情報２０９を識別する伝送条件識別回路２０７と、識別した伝送条件情報２０９により２次復調器２０５と１次復調器２０６及びデータ合成回路２１２の制御を行う受信部制御回路２１０と、複数の受信サブチャネル２０４からの情報データを合成するデータ合成回路２１２から構成される。ここで、２次復調器２０５と１次復調器２０６は受信サブチャネル毎に必要となる。
【００３０】
このように構成された受信部に受信多重信号２０１が入力されると、周波数分離回路２０２で複数の受信サブチャネル２０４の受信変調信号２０３に分離され、それぞれの受信チャネル２０４の２次復調器２０５において、受信部制御回路２１０により選択切替される広帯域化方式で２次復調されて１次変調信号に戻される。
【００３１】
この１次変調信号は伝送条件識別回路２０７に供給され、送信部において付加された伝送条件識別情報２０８により識別した伝送条件情報２０９が受信部制御回路２１０に入力される。受信部制御回路２１０では、伝送条件情報２０９に従い送信部の各送信サブチャネル１０３の２次変調器１０５の広帯域化方式と１次変調器１０４の多値変調方式と一致するように、各受信サブチャネル２０４の２次復調器２０５の広帯域化方式と１次復調器２０６の多値変調方式を選択切替する制御を行う。
【００３２】
送信部の説明で記述したように、伝送条件識別情報２０８は２次変調器１０５の広帯域化方式を指定された既知の方式に固定して付加されているので、２次復調器２０５の広帯域化方式は、伝送条件識別情報２０８については既知の方式に、情報データについては伝送条件情報２０９による方式に切替られることになる。また、送信部では、各送信サブチャネルに、あるいは一括して指定する１送信サブチャネルか複数の送信サブチャネルに伝送条件識別情報を付加しているので、受信部においては、それらに対応する受信サブチャネルから伝送条件識別情報２０８を伝送条件識別回路２０７により識別する。
【００３３】
２次復調器２０５から出力された１次変調信号は、１次復調器２０６において受信部制御回路２１０からの受信部制御信号２１１により選択切替された多値変調方式で１次復調され、各受信サブチャネル２０４の受信情報が再生される。これら複数の受信サブチャネル２０４の受信情報はデータ合成回路２１２で合成されて、受信情報データ２１３が出力される。
【００３４】
ところで、送信部から受信部への伝送条件識別情報１１１の伝送方法には、次のような方法がある。第１の方法は、情報データがスロット、あるいは複数スロットのパケットで伝送される場合に、スロットあるいはパケットの先頭（ヘッダ）に伝送条件識別情報１１１を付加して伝送し、受信スロットあるいはパケットの先頭から伝送条件情報を識別する方法であり、第２の方法は、符号多重あるいは周波数多重されるパイロットチャネルなどに伝送条件識別情報１１１を付加して伝送し、受信のパイロットチャネルから伝送条件情報を識別する方法である。さらに他の方法としては、１つ前のスロットあるいはパケットで伝送条件識別情報１１１を送信しておく方法などがある。
【００３５】
以上説明した本発明の適応可変多重伝送装置において、送信部では、送信情報データを複数のサブチャネルに分割し、送信サブチャネル毎に多値変調方式の１次変調、及び広帯域化方式の２次変調を行うため、それぞれの送信サブチャネルの処理動作は、複数のサブチャネルに分割することで低速化される。同様に、受信部においても、受信信号を分離した後の受信サブチャネル毎の２次復調及び１次復調の処理動作は低速化される。そして、１次変調器および２次変調器または２次復調器および１次復調器におけるＡＤ変換器とＤＡ変換器においても低速素子で対応可能となる。
【００３６】
また、１次変調器の多値変調方式の選択切替と共に、サブチャネル数の切替、２次変調器の広帯域化方式の切替を組合わせて行うことで、多様な伝送条件、伝送路の伝搬状況やトラヒック状況の変動に対応して細かな適応制御が可能となり、周波数利用効率をさらに向上することができる。
【００３７】
したがって、伝送路の状況、多種のメディアあるいは多種のサービス等の異なる伝送条件に対応して、より高速な情報データを効率良く伝送することが可能となる。
【００３８】
【発明の効果】
以上説明したように、本発明によれば、送信部の１次変調及び２次変調、または受信部の１次復調及び２次復調の処理動作を低速化し、高速化の困難なＡＤ変換器とＤＡ変換器においても低速素子で対応可能となり、より高速なデータ伝送に対応可能な伝送装置を実現することができる。
【００３９】
また、本発明によれば、多様な伝送条件、伝送路の伝搬状況やトラヒック状況の変動に対応して、より細かな適応制御が可能となり、多種のメディアあるいは多種のサービス等の異なる伝送条件に対応して、より高速な情報データを効率良く伝送することができる伝送装置を実現することができる。
【図面の簡単な説明】
【図１】本発明に係る適応可変多重伝送装置の一実施の形態の送信部の構成を示すブロック図である。
【図２】本発明に係る適応可変多重伝送装置の一実施の形態の受信部の構成を示すブロック図である。
【図３】従来の適応可変伝送装置の送信部の構成の一例を示すブロック図である。
【図４】従来の適応可変伝送装置の受信部の構成の一例を示すブロック図である。
【符号の説明】
１０１：送信情報データ、１０２：データ分割回路、１０３：送信サブチャネル、１０４：１次変調器、１０５：２次変調器、１０６：送信部の伝送条件識別回路、１０７：送信部の伝送条件情報、１０８：送信部制御回路、１０９：送信部制御信号、１１０：伝送条件識別情報付加回路（付加回路）、１１１：送信部の伝送条件識別情報、１１２：送信変調信号、１１３：周波数多重化回路、１１４：送信多重信号、２０１：受信多重信号、２０２：周波数分離回路、２０３：受信変調信号、２０４：受信サブチャネル、２０５：２次復調器、２０６：１次復調器、２０７：受信部の伝送条件識別回路、２０８：受信部の伝送条件識別情報、２０９：受信部の伝送条件情報、２１０：受信部制御回路、２１１：受信部制御信号、２１２：データ合成回路、２１３：受信情報データ。
【図１】
2004032380.tif 000003
【図２】
2004032380.tif 000004
【図３】
2004032380.tif 000005
【図４】
2004032380.tif 000006